(57)【要約】【課題】脱水後の洗濯物の回転ドラムの内周面への張り付きを抑制し、洗濯物が絡みにくくする。【解決手段】筐体１内に配設された洗濯水を溜める水槽２と、前面側に開口部２ａを有し前記水槽２内に回転可能に設けられた有底筒状の回転ドラム４と、前記回転ドラム４を回転駆動する駆動装置５とを備え、前記回転ドラム４は、その回転軸４ａを前面側を高位に傾斜させるとともに、底面部側から前面側へ向って拡がるように内周面を傾斜させたものである。【選択図】図１
2008307245.tif 000002
【特許請求の範囲】
【請求項１】
筐体内に配設された洗濯水を溜める水槽と、前面側に開口部を有し前記水槽内に回転可能に設けられた有底筒状の回転ドラムと、前記回転ドラムを回転駆動する駆動装置とを備え、前記回転ドラムは、その回転軸を前面側を高位に傾斜させるとともに、底面部側から前面側へ向って拡がるように内周面を傾斜させたドラム式洗濯乾燥機。
【請求項２】
回転ドラムは、内周面の最下部が略水平方向となるように設定するとともに、前記回転ドラムの深さを底面部の直径より大に設定した請求項１記載のドラム式洗濯乾燥機。
【請求項３】
回転ドラムは、前面側に前記回転ドラムの回転軸に平行な直径の一定部を設け、底面部側から前記一定部に向って拡がるように内周面に傾斜部を設けた請求項１または２記載のドラム式洗濯乾燥機。
【請求項４】
回転ドラムは、傾斜部の内周面に複数個のバッフルを設けた請求項３記載のドラム式洗濯乾燥機。
【請求項５】
回転ドラムは、傾斜部の内周面に多数の突起を設けた請求項３記載のドラム式洗濯乾燥機。
【請求項６】
水槽の下部を回転ドラムの傾斜部と略平行に設けた請求項１〜５のいずれか１項に記載のドラム式洗濯乾燥機。
【発明の詳細な説明】
【技術分野】
【０００１】
本発明は、衣類の洗濯および乾燥を同一槽内において続けて行えるドラム式洗濯乾燥機に関するものである。
【背景技術】
【０００２】
従来、この種のドラム式洗濯乾燥機は、洗濯物の出し入れが容易に行えるように回転ドラムを前上がりに傾斜させて本体内に配設しており、その回転ドラムの構造は、回転ドラムの底面部から前面部にわたり直径が同一の直円筒状に設けられている（例えば、特許文献１参照）。
【０００３】
図９は、前記特許公報に記載された従来のドラム式洗濯乾燥機の断面図を示すものである。図９に示す様に、筐体５０内に配設された水槽５１は、複数個のサスペンション５２で支持されており、水槽５１と同軸の回転軸を有する回転ドラム５３を回転自在に内包しており、回転ドラム５３の回転軸は回転ドラムの前面側が前上がりとなるよう傾斜している。水槽５１の底面部に取り付けた駆動装置５４は図示しない制御装置によって所定の回転方向と回転数で回転ドラム５３を回転制御する。筐体５０、水槽５１、回転ドラム５３は、いずれも洗濯物が出し入れ可能なようにそれぞれ開口部５４、５５、５６を有しており、筐体５０の開口部５４に水槽５１の開口部５５を弾性変形可能なベロー５７によって水密にシールしている。また、筐体５０の開口部５４には、これを開閉する蓋５８を設けている。
【０００４】
回転ドラム５３内に投入された洗濯物は、図示しない給水手段により回転ドラム５３内へ水が供給された後に回転ドラム５３の回転によって洗濯行程が実行され、その後、回転ドラム５３の高速回転によって脱水行程が実行され、その後、ヒートポンプサイクル５９と送風機６０によって乾燥が行われる。
【０００５】
なお、この種のドラム式洗濯乾燥機の回転ドラムの内径は、回転ドラムの回転軸が水平に対して鉛直方向に配設された、いわゆる縦型洗濯乾燥機の洗濯槽の内径に比べて、縦型洗濯乾燥機の本体の奥行き寸法と同程度となるように、大径化された構造を採っている。
【特許文献１】特開２００４−２０１７７２号公報
【発明の開示】
【発明が解決しようとする課題】
【０００６】
しかしながら、前記従来の構成では、回転ドラムの内径が縦型洗濯乾燥機の洗濯槽の内径に比べて大径化しているために、回転ドラムが高速回転する脱水時に洗濯物に働く遠心力が内径に比例して大きくなるので、洗濯物が回転ドラムの内周面へ張り付く力が大きくなり、その結果、脱水後に回転ドラムの内周面に張り付いた洗濯物を回転ドラムから剥がすことが困難になると言う課題を有していた。なお、脱水後に洗濯物が回転ドラムに張り付いたままであると、脱水後に使用者が洗濯物を取り出し難いと言う欠点に加えて、脱水後に引き続いて乾燥運転を行う場合は、洗濯物がほぐれないために乾燥が充分にできないと言う問題がある。
【０００７】
また、前記従来の構成では、回転ドラムが前上がりに傾斜しているため、洗濯物は重力により回転ドラムの底面部側へ片寄る傾向にあるので、片寄った底面部側で洗濯物同士の絡みが発生し易いと言う課題を有していた。
【０００８】
本発明は、前記従来の課題を解決するもので、脱水後の洗濯物の回転ドラムの内周面への張り付きを抑制し、また、洗濯物同士の絡みが発生し難いドラム式洗濯乾燥機を提供することを目的とする。
【課題を解決するための手段】
【０００９】
前記従来の課題を解決するために、本発明のドラム式洗濯乾燥機は、回転ドラムの回転軸を前面側を高位に傾斜させるとともに、底面部側から前面側へ向って拡がるように内周面を傾斜させたものである。
【００１０】
これによって、脱水時の回転ドラムの高速回転で洗濯物へ働く遠心力は、洗濯物が回転ドラム内周面に張り付く力と、洗濯物が内周面の接線方向へ移動する力とに分解されることとなり、後者の力によって洗濯物は脱水時に回転ドラム内周面の１ヶ所に張り付き難くなる。また、この傾斜により、回転ドラムの内周面の最下部の傾き角度は水平方向に近づくので、洗濯物が重力により回転ドラムの底面部側へ片寄る傾向は弱まり、その結果、洗濯物同士での絡みが発生し難くなる。
【発明の効果】
【００１１】
本発明のドラム式洗濯乾燥機は、脱水後に洗濯物が回転ドラムの内周面へ張り付くのを抑制し、洗濯物同士の絡みが少なく洗濯物を容易に取り出すことができる。
【発明を実施するための最良の形態】
【００１２】
第１の発明は、筐体内に配設された洗濯水を溜める水槽と、前面側に開口部を有し前記水槽内に回転可能に設けられた有底筒状の回転ドラムと、前記回転ドラムを回転駆動する駆動装置とを備え、前記回転ドラムは、その回転軸を前面側を高位に傾斜させるとともに、底面部側から前面側へ向って拡がるように内周面を傾斜させたことにより、脱水時に回転ドラムが高速回転することにより洗濯物へ働く遠心力は、洗濯物が回転ドラム内周面に張り付く力と、洗濯物が内周面の接線方向へ移動する力とに分解されることとなり、後者の力によって洗濯物は脱水時に回転ドラムの内周面の１ヶ所に張り付き難くなる。また、この回転ドラムの底面部側から前面側へ向って拡がる傾斜により、回転ドラムの内周面の最下部の傾き角度は水平方向に近づくので、洗濯物が重力により回転ドラムの底面部側へ片寄る傾向は弱まり、その結果、洗濯物同士での絡みが発生し難くなる。また、回転ドラムの底部側の直径を小さくすることで開口部が大きくとれ、衣類の出し入れが容易になり使い勝手をよくすることができる。
【００１３】
第２の発明は、特に、第１の発明の回転ドラムは、内周面の最下部が略水平方向となるように設定するとともに、前記回転ドラムの深さを底面部の直径より大に設定したことにより、洗濯物が重力により回転ドラム底面部側へ片寄る傾向は無くなり、その結果、洗濯物同士での絡みが発生し難くなる。また、略水平部分の長さを回転ドラムの深さ方向に長くとることができるので、洗濯物の落下時に前面側へ分散させることができ、乾燥時に乾燥用空気との接触を効果的に行うことができる。
【００１４】
第３の発明は、特に、第１または第２の発明の回転ドラムは、前面側に前記回転ドラムの回転軸に平行な直径の一定部を設け、底面部側から前記一定部に向って拡がるように内周面に傾斜部を設けたことにより、回転ドラムの内容積の減少（浴比の低下）を最小限に抑えつつも、洗濯物が張り付き易い回転ドラムの底面部側の傾斜によって、脱水時の洗濯物の張り付きや、底面部への片寄りを抑制することができる。
【００１５】
第４の発明は、特に、第３の発明の回転ドラムは、傾斜部の内周面に複数個のバッフルを設けたことにより、回転ドラムの底面部への洗濯物の片寄りを効果的に抑制することができる。
【００１６】
第５の発明は、特に、第３の発明の回転ドラムは、傾斜部の内周面に多数の突起を設けたことにより、回転ドラムの内容積を減少させることなく底面部への洗濯物の片寄りを抑制することができる。
【００１７】
第６の発明は、特に、第１〜第５のいずれか１つの発明の水槽の下部を回転ドラムの傾斜部と略平行に設けたことにより、水槽内の底部に形成される無駄な空間をなくすことができ、少ない給水量で回転ドラム内の水位を確保することができる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態におけるドラム式洗濯乾燥機の断面図である。図１において、１はドラム式洗濯乾燥機の筐体であり、その内部に複数個のサスペンション（図示せず）で支持された水槽２を配設する。水槽２は回転軸周りに軸対称な略筒状をしており、かつ、水槽２の回転軸が水平方向に対してその底面部側が下側となるよう前上がりに傾斜して配設されている。周壁部に多数の孔３を有した回転ドラム４が水槽２に内包されており、水槽２の底面部に設けたモータ等の駆動装置５によって回転駆動するもので正逆回転させるようになっている。そして、この正逆回転時に回転ドラム４内の周壁に設けたバッフル６により、衣類Ａを効率的に持ち上げて攪拌している。
【００２０】
回転ドラム４の前面に設けた投入口７側には、流体バランサー８を設け、回転ドラム４の回転時に衣類の偏りを修正して振動を少なくするものである。筐体１の前面には衣類を出し入れする略円形状の投入口７と、これを開閉する蓋９が設けられている。投入口７と対向する水槽２の開口部２ａはパッキン１０によって筐体１と気密を確保して連結している。
【００２１】
回転ドラム４は、その回転軸４ａを前面側を高位に傾斜させるとともに、底面部側から前面側へ向って拡がるように内周面を傾斜させており、底面部の内径をＤ１、前面部の内径をＤ２とすると、Ｄ１＜Ｄ２となるテーパー構造となっている。
【００２２】
乾燥用空気を回転ドラム４に供給する送風手段１１を筐体１の上部に設け、加熱手段１２を送風手段１１の下流側に設けている。送風手段１１、加熱手段１２は循環ダクト１３内に設けている。循環ダクト１３の下流側は、外槽２の底部側に設けられた供給口１４と連通し、上流側は、外槽２の周壁に設けられた排気口１５と連通している。外槽２の側周面に除湿ダクト１６と循環ダクト１３とが一体に形成されている。
【００２３】
循環ダクト１３内に設けられた送風手段１１を回転駆動すると、外槽２内の空気が排気口１５から除湿ダクト１６内に排出されるので、回転ドラム４内の湿気を含む空気は周面に多数形成された孔３から外槽２内に出て除湿ダクト１６に排出される。除湿ダクト１６内には、注水弁（図示せず）を開くことにより注水ノズル１７から注水され、湿った空気は水により冷却され、空気中に含まれた水蒸気が凝結することにより除湿される。空気を冷却した水及び凝結によって生じた水は、外槽２内を流下して排水口１８から外部に排出される。
【００２４】
以上の様に構成されたドラム式洗濯乾燥機について、以下その動作、作用を説明する。先ず、洗濯運転について説明する。洗濯運転中は、回転ドラム４の回転に伴って洗濯物を下から上へと持ち上げては落下させる、いわゆるタンブリング運転を行うが（回転ドラム４の回転数は例えば４０〜６０ｒｐｍ）、回転ドラム４がＤ１＜Ｄ２のテーパー構造であり、テーパー部４ｂの回転ドラム４の内周面の最下部の傾き角度が水平方向に近づくため、タンブリング運転を繰り返しても洗濯物が回転ドラム４の底面部側に片寄る傾向は小さく、衣類同士の絡みが発生し難い。
【００２５】
次に、脱水運転について説明する。脱水運転時は駆動装置５によって回転ドラム４を高速で回転させるために（例えば７００〜１０００ｒｐｍ）、洗濯物には遠心力が働くが、その遠心力は、図２で示した様に、回転ドラム４がＤ１＜Ｄ２のテーパー構造であるために、回転ドラム４の内周面へ張り付く力と、回転ドラム４の内周面の接線方向に洗濯物を移動させる力とに分解でき、後者の力によって脱水運転中に洗濯物が回転ドラム４の内周面の１ヶ所に留まって張り付くことは無く、脱水運転中は洗濯物は徐々に移動しながら脱水されることとなり、その結果、脱水運転終了後に洗濯物が回転ドラム４の内周面に堅く張り付くことを抑制できる。
【００２６】
また、乾燥運転は、送風手段１１から送風される除湿した空気は、循環ダクト１３内の加熱手段１２により加熱されることにより、所定温度の温風になって供給口１４から外槽２内に送風され、回転ドラム４の底面部に形成した通気口１９から回転ドラム４内に送給される。回転ドラム４の底面部側から送風された温風は衣類に触れ、その湿気を奪うので衣類の乾燥が促進される。湿気を含んだ空気は再び排気口１５から除湿ダクト１６内に排気される。
【００２７】
以上の様に、本実施の形態においては、回転ドラム４の底面部側から前面側へ向って拡がるように内周面を傾斜させ、底面部の内径をＤ１、前面部の内径をＤ２とすると、Ｄ１＜Ｄ２となるテーパー構造としているために、脱水時に洗濯物に働く遠心力の一部は洗濯物を回転ドラム４の内周面の接線方向に移動させる力として作用するために、脱水運転中に洗濯物は移動しつつ脱水をされることとなるので、脱水運転後に洗濯物が回転ドラム内周面に堅く張り付くことを抑制できる。また、テーパー部４ｂの回転ドラム４の内周面の最下部の傾き角度が水平方向に近づくので、洗濯物が重力によって回転ドラム底面部側へ片寄る傾向を弱めることとなり、洗濯物同士の絡みの発生を抑制することができる。
【００２８】
（実施の形態２）
図３は、本発明の第２の実施の形態におけるドラム式洗濯乾燥機の構成図である。図３で示す回転ドラム２０の内周面と回転軸２０ａとの成す角度θを、回転ドラム２０の転軸２０ａと水平方向との成す角度θと略同一に設定し、回転ドラム２０の内周面の最下部が略水平方向となるように設定している。また、回転ドラム２０の深さｈ１を底面部の直径Ｄ３より大に設定したものである。他の構成は第１の実施の形態と同じであり、説明を省略する。なお、水平方向を実線で示し、回転ドラム２０の回転軸２０ａを破線で示し、回転ドラム２０の内周面と回転軸２０ａとの成す角度をθ、回転ドラム４の回転軸４ａと水平方向との成す角度も同じくθで示した。
【００２９】
以上の様に構成されたドラム式洗濯乾燥機について、以下その動作、作用を説明する。先ず、洗濯運転について説明する。テーパー構造である回転ドラム２０の内周面と回転軸２０ａとの成す角度θが、回転ドラム２０の回転軸２０ａと水平方向との成す角度θが略同一であるため、回転ドラム２０のテーパー部２０ｂが最下部に位置したときに水平方向となるので、洗濯運転中に洗濯物がタンブリング運転を繰り返し行っても、洗濯物は回転ドラム２０の前面方向へも底面方向へも片寄ることがなく分散するので、洗濯物同士の絡みが発生し難いこととなる。
【００３０】
次に、脱水運転について説明する。脱水運転中に回転ドラム２０が高速で回転すると、回転ドラム２０がテーパー構造であるために、脱水運転中に洗濯物に働く遠心力の一部が洗濯物を回転ドラム２０の内周面の接線方向へと移動させる力となり、その結果、脱水運転終了後に洗濯物が回転ドラムの内周面に堅く張り付くことを抑制できることも第１の実施の形態と同じである。
【００３１】
以上の様に、本実施の形態においては、テーパー構造である回転ドラムの内周面と回転軸との成す角度が、回転ドラムの回転軸と水平方向との成す角度と略同一であるため、回転ドラムのテーパー部２０ｂが最下部に位置したときに水平方向となるので、洗濯運転時に洗濯物が底面側へ片寄ることがなく分散されて、洗濯物同士の絡みが発生し難いこととなる。
【００３２】
また、脱水時に洗濯物に働く遠心力の一部は、洗濯物を回転ドラムの内周面の接線方向に移動させる力として作用し、脱水運転中に洗濯物は移動しつつ脱水をされることとなるので、脱水運転終了後に洗濯物が回転ドラム内周面に堅く張り付くことを抑制できる。
【００３３】
また、回転ドラム２０の深さｈ１を底面部の直径Ｄ３より大に設定しているので、テーパー部２０ｂが最下部に位置したときに水平方向の長さを回転ドラム２０の深さ方向に長くとることができるので、洗濯物の落下時に前面側へ分散させることができ、乾燥時に乾燥用空気との接触を効果的に行うことができる。
【００３４】
（実施の形態３）
図４は、本発明の第３の実施の形態におけるドラム式洗濯乾燥機の構成図である。図４で示す回転ドラム２１は、前面側に回転ドラム２１の回転軸２１ａに平行な直径の一定部２１ｂを設け、底面部側から前記一定部２１ｂに向って拡がるように内周面に傾斜部２１ｃを設けたものである。他の構成は第１の実施の形態と同じであり、説明を省略する。
【００３５】
回転ドラム２１のテーパー構造は、回転ドラム２１の底面部から回転軸２１ａ方向の高さｈ２までであり、底面部の内径をＤ４、底面部からｈ２の位置の内径をＤ５とすると、Ｄ４＜Ｄ５となるテーパー構造としている。
【００３６】
上記構成における洗濯運転時の動作、作用について説明する。洗濯運転中は、洗濯物がタンブリング運転を行うように回転ドラム２１が回転する。回転ドラム２１の底面部側のみがテーパー構造であり、その傾斜部２１ｃは回転ドラム２１の内周面の最下部の傾き角度は水平方向に近づくので、洗濯物がタンブリング運転を繰り返しても底面部側に片寄る傾向は小さく、衣類同士の絡みが発生し難い。
【００３７】
また、脱水運転時は、回転ドラム２１の高速回転時に傾斜部２１ｃでは洗濯物に働く遠心力の一部が洗濯物を回転ドラム２１の内周面の接線方向へと移動させる力となり、その結果、脱水運転終了後に洗濯物が回転ドラム２１の内周面に堅く張り付くことを抑制できる。また、回転ドラム２１の底面部側のみをテーパー構造とすることで、テーパー構造による回転ドラム２１の内容積の減少（浴比の低下）を最小限に抑えることもできる。
【００３８】
（実施の形態４）
図５は、本発明の第４の実施の形態におけるドラム式洗濯乾燥機の構成図である。図５で示す回転ドラム２２は、傾斜部２２ａにバッフル２３を回転対称に１２０°の間隔で設けたものである。他の構成は実施の形態３と同じであり、説明を省略する。
【００３９】
回転ドラム２２の傾斜部２２ａにバッフル２３を設けることで効果的に洗濯物のタンブリング運転を促進することができ、その結果、タンブリング運転の繰り返しによる回転ドラム２２の底面側への片寄りは発生し難くなる。
【００４０】
図６はバッフル２３を設ける位置でその作用を比較したものである。回転ドラム２２と、回転ドラム２２の傾斜部２２ａに設けたバッフル２３と、比較のために回転ドラム２２の天面部側の回転ドラムの内径が均一な部位に設けたバッフル２４とを示してある。バッフル２３、２４上のそれぞれの洗濯物の重力は、図６に示す様に、バッフルに作用する力と、バッフル上を滑る力とに分解されるが、バッフル２３の方がバッフル２４に比べて、回転ドラム２２の内周面が水平に近いために、回転ドラム２２に作用する力が大きく、その結果、洗濯物のタンブリング運転を促進する効果が大きいこととなるので、バッフルは回転ドラム２２の傾斜部２２ａに設けることが効果的であり、バッフル２３による洗濯物のタンブリング運転が効果的に促進され、タンブリング運転の繰り返しによる回転ドラム２２の底面部側への片寄りを少なくすることができる。
【００４１】
（実施の形態５）
図７は、本発明の第５の実施の形態におけるドラム式洗濯乾燥機の構成図である。図７で示す回転ドラム２５は、傾斜部２５ａの内周面に多数の突起２６を設けたものである。他の構成は実施の形態３と同じであり、説明を省略する。
【００４２】
上記構成により、洗濯物が傾斜部２５ａの内周面上に作用する力が大きく、その結果、洗濯物のタンブリング運転が効果的に促進され、タンブリング運転の繰り返しによる回転ドラムの底面側への片寄りは発生し難くなる。
【００４３】
（実施の形態６）
図８は、本発明の第６の実施の形態におけるドラム式洗濯乾燥機の構成図であり、水槽２７の下部２７ａを回転ドラム４の傾斜部４ａと略平行に設けたものである。他の構成は実施の形態１と同じであり、説明を省略する。
【００４４】
上記構成により、水槽２７内の底部に形成される無駄な空間をなくすことができ、少ない給水量で回転ドラム内の水位を確保することができる。なお、この構成は本実施の形態１のほか、本実施の形態２〜５のいずれにも実施することができる。
【産業上の利用可能性】
【００４５】
以上のように、本発明にかかるドラム式洗濯乾燥機は、脱水後の洗濯物の回転ドラムへの張り付きを抑制し、かつ、回転ドラム内での洗濯物の絡みを抑制するので、回転ドラムの回転軸を前上がりに傾斜させたドラム式洗濯乾燥機として有用である。
【図面の簡単な説明】
【００４６】
【図１】本発明の第１の実施の形態におけるドラム式洗濯乾燥機の要部断面図
【図２】同ドラム式洗濯乾燥機の作用図
【図３】本発明の第２の実施の形態におけるドラム式洗濯乾燥機の構成図
【図４】本発明の第３の実施の形態におけるドラム式洗濯乾燥機の構成図
【図５】本発明の第４の実施の形態におけるドラム式洗濯乾燥機の構成図
【図６】同ドラム式洗濯乾燥機の作用図
【図７】本発明の第５の実施の形態におけるドラム式洗濯乾燥機の構成図
【図８】本発明の第６の実施の形態におけるドラム式洗濯乾燥機の要部断面図
【図９】従来のドラム式洗濯乾燥機の断面図
【符号の説明】
【００４７】
１  筐体
２  水槽
２ａ  開口部
４  回転ドラム
５  駆動装置
【図１】
2008307245.tif 000003
【図２】
2008307245.tif 000004
【図３】
2008307245.tif 000005
【図４】
2008307245.tif 000006
【図５】
2008307245.tif 000007
【図６】
2008307245.tif 000008
【図７】
2008307245.tif 000009
【図８】
2008307245.tif 000010
【図９】
2008307245.tif 000011